(57)【要約】【課題】プラテンを簡単に交換できる記録装置を提供する。【解決手段】一対のサイドフレーム２６にプラテン端部５１を挿入する開口５５を設け、該開口５５の一縁５５ａとプラテン端部５１との間に補助部材６１を介装して、該プラテンを前記サイドフレーム２６に固定し、前記補助部材６１と前記開口５５の他縁との間に該プラテン端部５１を挟持した。【選択図】図１１
2008238790.tif 000002
【特許請求の範囲】
【請求項１】
一対のサイドフレーム間にプラテンおよびキャリッジ軸を懸架し、キャリッジ軸に支持したキャリッジを主走査方向に走査して、プラテン上を搬送する記録媒体に、該キャリッジに設けた記録ヘッドで画像を記録する記録装置において、
前記一対のサイドフレームにプラテン端部を挿入する開口を設け、
該開口の一縁とプラテン端部との間に補助部材を介装して、該プラテンを前記サイドフレームに固定し、前記補助部材と前記開口の他縁との間に該プラテン端部を挟持した、
ことを特徴とする記録装置。
【請求項２】
前記プラテンと前記サイドフレームの固定を外し、前記補助部材を取り外して、前記プラテンを一方のサイドフレーム側に寄せ、他方のサイドフレーム側のプラテン端部を回動し、一方のサイドフレームの開口からプラテン端部を引き抜いて、記録装置の裏側から、プラテンを取り外し可能とした、
ことを特徴とする請求項１に記載の記録装置。
【請求項３】
前記プラテンが平プラテンであり、鋼板製のプラテンベースと、このプラテンベースの上面に設けた表面材とを備え、該表面材が、長手方向に同一の断面形状ではなく、平面視でいわゆる櫛歯状に形成されている、
ことを特徴とする請求項１または２に記載の記録装置。
【発明の詳細な説明】
【技術分野】
【０００１】
本発明は、例えば平プラテンを備えた記録装置に関する。
【背景技術】
【０００２】
一般に、一対のサイドフレーム間に平プラテンおよびキャリッジ軸を懸架し、キャリッジ軸に支持したキャリッジを主走査方向に走査し、平プラテン上を搬送する記録媒体に、該キャリッジに設けた記録ヘッドで画像を記録する記録装置が知られている（例えば、特許文献１参照）。この種の記録装置では、従来、左右フレーム間に平プラテンを懸架する場合、平プラテン端部を左右それぞれのサイドフレームに差し込み固定している。
しかし、平プラテンのプラテン面に傷が付いた場合などには、該平プラテンを交換する必要が生じ、左右フレーム間を広げるように該記録装置を分解して、該平プラテンを交換した場合には、分解組立工数が掛かるばかりでなく、該記録装置自体の組み直しによる調整作業が発生し、組立品質が悪化する恐れがある。
【特許文献１】特開２００４−３３０６２１
【発明の開示】
【発明が解決しようとする課題】
【０００３】
これに対し、平プラテンが単純台形状の場合には、該平プラテンを桁方向にスライドさせて、該平プラテンを左右フレーム間から取り外す方法が提案されている。
しかし、上記公報記載のように平プラテンが平面視で櫛歯状になっている場合には、該平プラテンを桁方向にスライドさせる時、平プラテンの一部が紙案内に引っかかるため、該平プラテンを左右フレーム間から取り外すことが困難になる。
【０００４】
そこで、本発明の目的は、上述した従来の技術が有する課題を解消し、プラテンを簡単に交換できる記録装置を提供することにある。
【課題を解決するための手段】
【０００５】
本発明は、一対のサイドフレーム間にプラテンおよびキャリッジ軸を懸架し、キャリッジ軸に支持したキャリッジを主走査方向に走査して、プラテン上を搬送する記録媒体に、該キャリッジに設けた記録ヘッドで画像を記録する記録装置において、前記一対のサイドフレームにプラテン端部を挿入する開口を設け、該開口の一縁とプラテン端部との間に補助部材を介装して、該プラテンを前記サイドフレームに固定し、前記補助部材と前記開口の他縁との間に該プラテン端部を挟持したことを特徴とする。
この場合において、前記プラテンと前記サイドフレームの固定を外し、前記補助部材を取り外して、前記プラテンを一方のサイドフレーム側に寄せ、他方のサイドフレーム側のプラテン端部を回動し、一方のサイドフレームの開口からプラテン端部を引き抜いて、記録装置の裏側から、プラテンを取り外し可能としてもよい。
【０００６】
本構成では、開口の一縁とプラテン端部との間に補助部材を介装して、該プラテンをサイドフレームに固定し、補助部材と開口の他縁との間にプラテン端部を挟持したため、プラテンを取り外す際には、補助部材を取り外し、補助部材が収まっていた空間を利用して、例えば、前記プラテンを一方のサイドフレーム側に寄せ、他方のサイドフレーム側のプラテン端部を回動し、一方のサイドフレームの開口からプラテン端部を引き抜いて、記録装置の裏側から、プラテンを取り外せばよい。
これによって、プラテンを交換する必要が生じた場合、左右フレーム間を広げるように記録装置を分解することなく、簡単にプラテンを交換できる。
また、前記プラテンが平プラテンであり、鋼板製のプラテンベースと、このプラテンベースの上面に設けた表面材とを備え、該表面材が、長手方向に同一の断面形状ではなく、平面視でいわゆる櫛歯状に形成されていてもよい。
本構成では、平プラテンを桁方向にスライドさせて、該プラテン交換できない場合であっても、簡単にプラテンを交換できる。
【発明の効果】
【０００７】
本発明では、プラテンを取り外す際には、補助部材を取り外し、補助部材が収まっていた空間を利用して、例えば、プラテンを一方のサイドフレーム側に寄せ、他方のサイドフレーム側のプラテン端部を回動し、一方のサイドフレームの開口からプラテン端部を引き抜いて、記録装置の裏側から、プラテンを取り外せるため、左右フレーム間を広げるように記録装置を分解することなく、簡単にプラテンを交換できる。
また、平プラテンを桁方向にスライドさせることができない場合であっても、簡単にプラテンを交換できる。
【発明を実施するための最良の形態】
【０００８】
以下、図面を参照して本発明の一実施の形態を説明する。
図１は、本発明の記録装置の実施形態に係るプリンタ１０の前方の外観を示す斜視図であり、図２は、プリンタ１０の側断面図であり、図３および図４は、このプリンタ１０のフレーム構成を示す斜視図である。
このプリンタ１０は、複数の記録ワイヤを選択的に打ち出す記録ヘッド２０と、この記録ヘッド２０が搭載されるキャリッジ２１とを備え、記録ヘッド２０から打ち出された記録ワイヤを記録媒体（以下、シートという。）に打ち付けることによって文字を含む画像を記録するシリアルドットインパクトプリンタである。図２に示すように、このプリンタ１０は、大別すると、記録ユニットを構成するプリンタ本体１２と、トラクタユニット１３と、シートガイド１４とを備え、これらの上方、下方が、図１に示すように、アッパケース１５およびロアケース１６で覆われる構成となっている。上記シートには、所定長さに裁断されたカットシートと、複数枚が連結された連続シートとがある。カットシートとしては、例えば単票紙、複写紙、通帳またはカットフィルムなどがあり、連続シートとしては連続紙がある。
【０００９】
プリンタ本体１２は、記録機構部としての記録ヘッド２０、キャリッジ２１および平プラテン２２と、シート搬送機構部としての複数の搬送ローラ２３とを備えている。詳述すると、プリンタ本体１２は、図３および図４に示すように、一対のサイドフレーム２５、２６の間に、背面フレーム２７、平プラテン２２、キャリッジ軸２８、複数のローラ軸２３ａ、トラクタユニット１３などが架け渡され、キャリッジ軸２８にはキャリッジ２１が、各ローラ軸２３ａには搬送ローラ２３が設けられている。
【００１０】
上記搬送ローラ２３は、平プラテン２２に対してプリンタ本体１２の前方および後方に、上下に対に配置されており（一部の搬送ローラ２３は不図示）、図示しないシート搬送モータと、該モータに連結され、右サイドフレーム２６の外側に配列された駆動輪列部１４１とによって、図２の時計方向又は反時計方向に回転駆動される。これによって、シートを、プリンタ本体１２の前方（シートガイド１４側）から後方へ搬送し、また、プリンタ本体１２の後方から前方へ搬送することができ、シートは、キャリッジ２１の主走査方向と直交する副走査方向に搬送される。
【００１１】
上記キャリッジ２１は、キャリッジ軸２８に摺動自在に挿通されると共に、記録ヘッド２０を搭載し、図示しないステッピングモータにて構成されるキャリッジ駆動モータにより駆動されるタイミングベルト４３（図３参照）に結合される。
これにより、上記キャリッジ２１は、キャリッジ駆動モータの正転又は逆転により、タイミングベルト４３を介しキャリッジ軸２８に案内されて、上記キャリッジ軸２８の軸方向および平プラテン２２の長手方向と一致する主走査方向に走行（走査）される。上記記録ヘッド２０は、多数の記録ワイヤ（不図示）を備え、これら記録ワイヤを平プラテン２２に向けて打ち出す。
【００１２】
このプリンタ本体１２には、図５に示すように、ステーショナリー形式のインクリボンカートリッジ２９が着脱自在に装着され、このインクリボンカートリッジ２９のインクリボンが記録ヘッド２０と平プラテン２２との間に繰り出される。
これにより、記録ヘッド２０は、キャリッジ２１と共に主走査方向に走行される間に、これら記録ワイヤを突出させてインクリボンに打ち当て、このインクリボンのインクを、平プラテン２２と記録ヘッド２０との間に搬送されたシートに付着し、該シートに文字を含む画像を記録する。なお、キャリッジ２１には、図３にも示すように、リボンマスクホルダ５１が設置され、リボンマスクホルダ５１はインクリボンカートリッジ２９内のインクリボンから、平プラテン２２の上面に接して搬送されるシート（カットシートまたは連続シート）を保護している。
【００１３】
トラクタユニット１３は、連続シートをシート搬送機構部へ供給するものであり、図４に示すように、左右一対のトラクタ３０を有する。
各トラクタ３０は、図２に示すように、トラクタ駆動プーリ３０ａと、トラクタ従動プーリ３０ｂと、これらプーリ３０ａ，３０ｂに巻き掛けられたトラクタベルト３１とを備え、図示せぬ駆動機構によってトラクタ駆動プーリ３０ａを回転駆動し、トラクタベルト３１を駆動して連続シートを搬送する。
【００１４】
記録ヘッド２０による記録動作は、記録ヘッド２０がキャリッジ２１により主走査方向に移動される間に、記録ヘッド２０からの記録ワイヤの打ち出しにより一行分の記録がなされ、この一行分の記録がなされる度に、シート搬送機構部としての搬送ローラ２３（およびトラクタユニット１３）が連続シートを所定長搬送させ、これらの動作が繰り返されて実施される。
【００１５】
本構成では、平プラテン２２が、図２に示すように、断面逆Ｕ字状の鋼板製プラテンベース４０と、このプラテンベース４０の上面に両面テープで接着した、例えば、ポリウレタンエラストマ、或いはゴム、プラスチックなどからなる表面材４１とにより形成されている。この表面材４１は、図３および図５に示すように、長手方向に同一の断面形状ではなく、平面視でいわゆる櫛歯状に形成されている。
この表面材４１は、長手方向に適宜の間隔のくびれ部を有し、幅広部４１ａおよび幅狭部４１ｂを交互に繰り返し、それぞれの幅広部４１ａが、図２に示すように、鋼板製の紙案内４５に設けた開口４５ａから上方に突出している。
この構成において、幅狭部４１ｂの位置では、紙案内４５の開口４５ｂの奥行き方向の幅が、幅広部４１ａに対応した開口４５ａの奥行き方向の幅より小さい。そのため、紙案内４５に設けた開口４５ａ，４５ｂと、プラテン２２の表面材４１との間に形成される隙間は、表面材４１の長手方向で一直線とはならず、紙送り方向において、当該隙間が段差状となる。これによれば、該隙間にカットシートの端が進入しにくく、いわゆる紙ジャムが防止できる。
【００１６】
図６ないし図１１は、平プラテン２２の支持構造を示す。
平プラテン２２のプラテンベース４０は、図８に示すように、左右一対のサイドフレーム２５、２６間に懸架した紙案内４５の下側において、一対のサイドフレーム２５、２６の間に懸架されている。このプラテンベース４０は、上述したように、断面逆Ｕ字状に形成されており、該プラテンベース４０の右端部５１の高さＨ２は、その他の部分５２の高さＨ１より低く形成されている。上記右端部５１は、図９に示すように、その他の部分５２の頂部５２ａから一様に連続した頂部５１ａと、同じく他の部分５２の側部５２ｂ，５２ｃから一様に連続し、頂部５１ａとの間に隙間δ１を持って形成した一対の側部５１ｂ，５１ｃと、一方の側部５１ｃを略直角に曲げた端部５１ｄとを備え、この端部５１ｄには孔５１ｅが形成されている。
【００１７】
また、上記プラテンベース４０の左端部５３は、図１０に示すように、その高さＨ１が、プラテンベース４０の他の部分５２の高さＨ１と等しく、該左端部５３は、他の部分５２の頂部５２ａから一様に連続した頂部５３ａと、同じく他の部分５２の側部５２ｂ，５２ｃから一様に連続し、頂部５３ａとの間に隙間δ１を持って形成した一対の側部５３ｂ，５３ｃと、他方の側部５３ｂを略直角に曲げた端部５３ｄとを備え、該端部５３ｄには孔５３ｅが形成されている。
【００１８】
右側のサイドフレーム２６には、図９に示すように、プラテンベース４０の右端部５１を挿入する開口５５が設けられている。
この開口５５は、プラテンベース４０を、矢印Ａの方向に引いてから、矢印Ｂで示す方向に一杯まで回動したとき、右端部５１の頂部５１ａないし端部５１ｄを交わしきれる大きさを有した大開口部５５ａと、大開口部５５ａに連なり、一方の側部５１ｂを受入れ可能なスリット５５ｂと、同じく大開口部５５ａに連なり、他方の側部５１ｃを受入れ可能なスリット５５ｃとを備えている。
【００１９】
また、左側のサイドフレーム２５には、図１０に示すように、プラテンベース４０の左端部５３を挿入する開口５７が設けられている。
この開口５７は、プラテンベース４０の左端部５３を、矢印Ｃの方向に持ち上げて、矢印Ｄで示す方向に移動したとき、該左端部５３の頂部５３ａが進入（後述の補助部材も進入する。）する大開口部５７ａと、大開口部５７ａに連なり、他方の側部５７ｃを受入れ可能なスリット５７ｂとを備え、この場合に、一方の側部５３ｂおよび端部５３ｄはサイドフレーム２５の内面に当接する。
【００２０】
本構成では、平プラテン２２が、図６および図７に示すように、左右一対のサイドフレーム２５、２６間に懸架されている。
右側のサイドフレーム２６では、図６に示すように、上記右端部５１が開口５５を貫通し、右端部５１の頂部５１ａおよび端部５１ｄが、該サイドフレーム２６の外面に当接している。また、上記開口５５の下縁（開口の一縁）５５ｄと、右端部５１の頂部５１ａとの間に、所定高さｈ１の補助部材６１（図１１参照）を介装し、該補助部材６１が、平プラテン２２の下方位置を位置決めしている。
さらに、右端部５１の頂部５１ａが、紙案内４５の下側に設けたストッパ（開口の他縁）６３に当接し、これによって、右端部５１の頂部５１ａが、ストッパ６３と補助部材６１との間に挟持されている。右サイドフレーム２６の外面に当接した、右端部５１の端部５１ｄの孔５１ｅと、右サイドフレーム２６に設けた孔６４とを整合し、外側から、ねじ６５を螺合し両者２６，５１ｄが結合されている。
【００２１】
また、左側のサイドフレーム２５では、図７に示すように、左端部５３の頂部５３ａが開口５７を貫通し、この開口５７の下縁（開口の一縁）５７ｄと、左端部５３の頂部５３ａとの間に、所定高さｈ１の補助部材６７を介装し、補助部材６７が、平プラテン２２の下方位置を位置決めしている。
また、左端部５３の頂部５３ａが、紙案内４５の下側に設けたストッパ（開口の他縁）６８に当接し、該頂部５３ａが、ストッパ６８と補助部材６７との間に挟持されている。左サイドフレーム２５の内面に当接した、左端部５３の端部５３ｄの孔５３ｅと、左サイドフレーム２５に設けた孔６９とを整合し、該プレート内側から、ねじ７１を螺合し両者２５，５３ｄが結合されている。
【００２２】
本実施の形態では、上述した開口５５，５７の下縁（一縁）５５ｄ，５７ｄと、プラテン２２の右端部５１および左端部５３との間に、それぞれ所定高さｈ１の補助部材６１，６７を介装して、プラテン２２の下方を位置決めし、ストッパ（他縁）６３，６８と補助部材６１，６７間に、右端部５１および左端部５３の頂部５１ａ，５３ａを挟持し、各サイドフレーム２５，２６に右端部５１および左端部５３の端部５１ｄ，５３ｄを、ねじ６５，７１で固定したため、プラテン２２を取り外す際には、まず、ねじ６５，７１を外し、上記補助部材６１，６７を、掴み部６１ａ，６７ａを掴んで、サイドフレーム２５，２６の外側に引き出す（図１１参照。）。
【００２３】
ついで、図１０に示す矢印Ｄと逆方向に、プラテン２２を移動し、同じく矢印Ｃと逆方向に、該プラテン２２を回動する。
すると、該プラテン２２の右端部５１が、図９に示すように、右サイドフレーム２６の外側に突出する。そして、この図９に示す状態から、矢印Ｂで示す方向に向けて、プラテン２２を一杯まで回動する。
右側のサイドフレーム２６には、該プラテン２２を矢印Ｂの方向に一杯まで回動したとき、右端部５１の頂部５１ａないし端部５１ｄを交わしきれる大きさの大開口部５５ａが設けられているため、大開口部５５ａを介して、頂部５１ａないし端部５１ｄを含む右端部５１が、右サイドフレーム２６の内側に引き出され、所謂けんどん式に、プリンタ裏側からプラテン２２が取り外される。
【００２４】
本構成では、プラテン２２を取り外す際、補助部材６１，６７を取り外し、補助部材が収まっていた空間を利用して、所謂けんどん式に、プリンタ裏側から、プラテン２２を取り外すため、従来のように、左右フレーム間を広げるようにプリンタを分解する必要がなく、プラテン２２を交換した場合に、プリンタ自体の組み直しによる調整作業などが不要になり、組立品質の悪化が防止できる。
特に平プラテン２２が平面視で櫛歯状になっているが、この場合も、左右フレーム間を広げるようにプリンタを分解することなく、プラテン２２を左右フレーム２５，２６間から、極めて簡単に取り外せる。
【００２５】
上述した実施の形態は、あくまでも本発明の一態様にすぎず、本発明の範囲内で任意に変形可能である。右端部５１、左端部５３および開口５５，５７などの形態は、上述した形態に限定されず、任意の形態が容認される。また、ドットインパクトプリンタに限定されず、別の形態のプリンタにも適用可能である。
【図面の簡単な説明】
【００２６】
【図１】本発明に係る記録装置の一実施の形態が適用されたドットインパクトプリンタを示す斜視図である。
【図２】図１の記録ヘッドおよびキャリッジ等を示す側面図である。
【図３】インクリボンカートリッジを外したフレーム構成を示す斜視図である。
【図４】図３のフレーム構成をトラクタユニット側から見て示す斜視図である。
【図５】インクリボンカートリッジを装着した状態を示す斜視図である。
【図６】右サイドフレームの断面図である。
【図７】左サイドフレームの断面図である。
【図８】平プラテンを取り外す状態を示す斜視図である。
【図９】右サイドフレームの斜視図である。
【図１０】左サイドフレームの斜視図である。
【図１１】右サイドフレームを外側から見た斜視図である。
【符号の説明】
【００２７】
１０  プリンタ（記録装置）
２０  記録ヘッド
２１  キャリッジ
２２  平プラテン
２５，２６  サイドフレーム
４０  プラテンベース
４１  表面材
４５  紙案内
５１  右端部
５１ａ  頂部
５１ｂ，５１ｃ  側部
５１ｄ  端部
５３  左端部
５３ａ  頂部
５３ｂ，５３ｃ  側部
５３ｄ  端部
５５，５７  開口
【図１】
2008238790.tif 000003
【図２】
2008238790.tif 000004
【図３】
2008238790.tif 000005
【図４】
2008238790.tif 000006
【図５】
2008238790.tif 000007
【図６】
2008238790.tif 000008
【図７】
2008238790.tif 000009
【図８】
2008238790.tif 000010
【図９】
2008238790.tif 000011
【図１０】
2008238790.tif 000012
【図１１】
2008238790.tif 000013